(57)【要約】【課題】ポケット面が広く取れて捕球性のよい捕球具を提供すること。【解決手段】親指部１と、人差し指部２と、中指部３と、薬指部４と、小指部５と、親指部１と人差し指部２の間に位置するウェブ６と、捕球面を有する掌側を構成する掌側外皮１０と、甲側を構成する甲側外皮１１と、を有する捕球具であって、各指部１，２，３，４，５の根元の少なくとも１カ所において、掌側外皮１０の一部を甲側に折り返した折り返し部１０ａを有し、この折り返し部１０ａと甲側外皮１１の端面同士が連結されていることを特徴とする。【選択図】図３
2020068842.tif 000002
【特許請求の範囲】
【請求項１】
親指部と、人差し指部と、中指部と、薬指部と、小指部と、親指部と人差し指部の間に位置するウェブと、
捕球面を有する掌側を構成する掌側外皮と、甲側を構成する甲側外皮と、を有する捕球具であって、
前記各指部の根元の少なくとも１カ所において、前記掌側外皮の一部を甲側に折り返した折り返し部を有し、この折り返し部と前記甲側外皮の端面同士が連結されていることを特徴とする捕球具。
【請求項２】
前記折り返し部は、前記ウェブの親指部側根元において、前記掌側外皮の一部を甲側に折り返した親指折り返し部を含むことを特徴とする請求項１に記載の捕球具。
【請求項３】
前記折り返し部は、前記ウェブの人差し指部側根元において、前記掌側外皮の一部を甲側に折り返した人差し指折り返し部を含むことを特徴とする請求項１又は２に記載の捕球具。
【請求項４】
前記折り返し部は、前記小指部と前記薬指部の間の根元において、、前記掌側外皮の一部を甲側に折り返した小指折り返し部を含むことを特徴とする請求項１〜３のいずれか１項に記載の捕球具。
【請求項５】
前記折り返し部は、舌片状に形成されることを特徴とする請求項１〜４のいずれか１項に記載の捕球具。
【請求項６】
前記折り返し部は、折り返しハートに隣接した位置に設けられることを特徴とする請求項１〜５のいずれか１項に記載の捕球具。
【請求項７】
前記親指折り返し部の突出方向が親指部の側部の方向であることを特徴とする請求項２に記載の捕球具。
【請求項８】
前記親指折り返し部の突出方向が手挿入口の方向であることを特徴とする請求項２に記載の捕球具。
【発明の詳細な説明】
【技術分野】
【０００１】
本発明は、親指部と、人差し指部と、中指部と、薬指部と、小指部と、親指部と人差し指部の間に位置するウェブと、捕球面を有する掌側を構成する掌側外皮と、甲側を構成する甲側外皮と、を有する捕球具に関するものである。
【背景技術】
【０００２】
かかる捕球具として、下記特許文献１に開示される捕球具（野球用グローブ）が周知である。その外観は、特許文献１の図１に記載されている通りであり、５本の指に対応して親指部、人差し指部、中指部、薬指部、小指部を有し、親指部と人差し指の間にウェブが設けられる。捕球具としての重要な機能は捕球しやすいことである。
【先行技術文献】
【特許文献】
【０００３】
【特許文献１】特開２００７−２４４７１７号公報
【発明の概要】
【発明が解決しようとする課題】
【０００４】
捕球のしやすさに影響を及ぼすのは、グローブ（具体的には、親指部と他の指部との間）が柔軟で曲げやすいことであるが、特にグローブの使い始めは硬さがあり曲げにくくなっている。その結果、ポケット面の形状が捕球をするのに適したものではなく改善の余地があった。
【０００５】
本発明は上記実情に鑑みてなされたものであり、その課題は、ポケット面の形状が捕球をするのに適した形にでき捕球性のよい捕球具を提供することである。
【課題を解決するための手段】
【０００６】
上記課題を解決するため本発明に係る捕球具は、
親指部と、人差し指部と、中指部と、薬指部と、小指部と、親指部と人差し指部の間に位置するウェブと、捕球面を有する掌側を構成する掌側外皮と、甲側を構成する甲側外皮と、を有する捕球具であって、
前記各指部の根元の少なくとも１カ所において、前記掌側外皮の一部を甲側に折り返した折り返し部を有し、この折り返し部と前記甲側外皮の端面同士が連結されていることを特徴とするものである。
【０００７】
かかる構成を有する捕球具の作用・効果を説明する。この捕球具は、各指部の根元の少なくとも１カ所において、掌側外皮の一部を甲側に折り返した折り返し部を有し、この折り返し部と甲側外皮の端面同士が連結されている。かかる折り返し部を形成することで、甲側外皮の折り返し部が形成された指部の根元に、折り返し部に対応した切欠形状が形成されることになり、グローブ全体の柔軟性が増して曲げやすくなる。その結果、ポケット面の形状が捕球をするのに適した形にでき捕球性のよい捕球具を提供することができる。
【０００８】
本発明において、折り返し部を形成する指部の根元については、特定の指部に限定されるものではない。また、１つの指部だけではなく、任意の複数の指部に形成することができる。例えば、下記のような位置に折り返し部を形成することができる。
【０００９】
本発明に係る前記折り返し部は、前記ウェブの親指部側根元において、前記掌側外皮の一部を甲側に折り返した親指折り返し部を含むことが好ましい。
【００１０】
本発明に係る前記折り返し部は、前記ウェブの人差し指部側根元において、前記掌側外皮の一部を甲側に折り返した人差し指折り返し部を含むことが好ましい。
【００１１】
本発明に係る前記折り返し部は、前記小指部と前記薬指部の間の根元において、前記掌側外皮の一部を甲側に折り返した小指折り返し部を含むことが好ましい。
【００１２】
本発明に係る前記折り返し部は、舌片状に形成されることが好ましい。かかる構成により、甲側外皮に舌片状に対応した切欠形状を形成して、グローブ全体を曲げやすくすることができる。
【００１３】
本発明に係る前記折り返し部は、折り返しハートに隣接した位置に設けられることが好ましい。
【００１４】
かかる構成によれば、折り返しハートと親指部の境界あるいはその近傍、折り返しハートと人差し指部の境界あるいはその近傍に折り返し部を形成し、親指部や人差し指の効きを良くすることができる。
【００１５】
本発明において、前記親指側折り返し部の突出方向が親指部の側部の方向であることが好ましい。
【００１６】
これにより、親指部の効きを良くすることができ、ポケット面が広く取れるようになる。
【００１７】
本発明において、前記親指側折り返し部の突出方向が手挿入口の方向であることが好ましい。
【００１８】
これにより、親指部の効きを更に良くすることができ、ポケット面が広く取れるようになる。
【図面の簡単な説明】
【００１９】
【図１】従来技術に係るグローブの甲側から見た外観図
【図２】従来技術あるいは本発明に係るグローブの掌側から見た外観図
【図３】本発明の第１実施形態に係るグローブの甲側から見た外観図
【図４】第１実施形態において、掌側外皮の一部と甲側外皮の一部のみを示した甲側から見た図
【図５】図４の構成を掌側から見た図
【図６】第２実施形態において、掌側外皮の一部と甲側外皮の一部のみを示した甲側から見た図
【図７】第３実施形態に係るグローブの甲側から見た外観図
【図８】第３実施形態において、掌側外皮の一部と甲側外皮の一部のみを示した甲側から見た図
【図９】第４実施形態において、掌側外皮の一部と甲側外皮の一部のみを示した甲側から見た図
【図１０】第５実施形態に係るグローブの甲側から見た外観図
【図１１】第５実施形態において、掌側外皮の一部と甲側外皮の一部のみを示した甲側から見た図
【図１２】第６実施形態において、掌側外皮の一部と甲側外皮の一部のみを示した甲側から見た図
【図１３】第７実施形態に係るグローブの甲側から見た外観図
【発明を実施するための形態】
【００２０】
本発明に係る捕球具の好適な実施形態をまず説明する。捕球具の例として野球用やソフトボールのグローブ、特に野手の使用するグローブをあげて説明する。
【００２１】
図１は、従来技術に係るグローブの甲側から見た外観図を示し、図２は同じく掌側から見た外観図を示す。なお、掌側から見た外観図は、従来技術も本発明も同じである。
【００２２】
グローブは、親指部１、人差し指部２、中指部３、薬指部４、小指部５を備えており、それぞれ各指が挿入される空間部を有している。親指部１と人差し指部２の間にはウェブ６が形成される。ウェブ６は、図２の点線で囲まれるエリアである。グローブの下方には、指を挿入するための手挿入口７が設けられる。図１において、符号Ｐは、ボールを捕球するポケット面に相当する。
【００２３】
掌側の面を構成するために掌側外皮１０が用いられ、掌側外皮１０と掌側内皮（不図示）が重ねられて糸や紐で結合される。また、甲側の面を構成するために甲側外皮１１が用いられ、甲側外皮１１と甲側内皮（不図示）が重ねられて糸や紐で結合される。なお、掌側外皮１０は基本的に１枚の皮部材で形成されるが、甲側外皮１１は複数のパーツが組み合わせられて形成される。パーツ同士の結合は革製のハミダシ１２により結合される。
【００２４】
＜第１実施形態＞
図３は、第１実施形態を説明する甲側から見た外観を示す。親指部１の根元に折り返し部１０ａ（親指折り返し部）が形成されている点が特徴である。折り返し部１０ａ以外の構成は従来技術を示す図１、図２と同じである。折り返し部１０ａは、掌側外皮１０の一部を甲側に折り返した部分で構成される。形状は舌片状であり、先端は半円形状を呈している。折り返し部１０ａは、舌片状の形状が突出するような形状であり、その突出方向Ｄ１は親指部１の側部１ａの方向である。
【００２５】
折り返し部１０ａの端面と、親指部１を構成する甲側外皮１１の端面とは、ハミダシ１２ａにより連結される。甲側外皮１１は、折り返し部１０ａの舌片状の形状に対応した切欠（凹部）が形成されることになる。
【００２６】
図３に示すように、甲側には掌側外皮１０を甲側に折り返した折り返しハート１０ｂが設けられている。折り返しハート１０ｂは、甲側外皮１１の上に重ねられて糸１３により結合される。折り返しハート１０ｂは、紐１４によってウェブ６とも連結されている。折り返しハート１０ｂの親指部１の側に折り返し部１０ａが隣接して形成されている。
【００２７】
本発明は、掌側外皮１０を甲側に折り返した親指折り返し部１０ａを形成することで、親指部１の効きが良くなる。これにより、グローブ全体の柔軟性が増して曲げやすくなる。その結果、ポケット面の形状が捕球をするのに適した形になり、捕球性が改善される。また、ポケット面ＰがＰ’のように広くなる。
【００２８】
図４は、図３の第１実施形態について掌側外皮１０の一部と甲側外皮１１の一部のみを示した甲側から見た図である。図５は、図４を掌側から見た図である。
【００２９】
＜第２実施形態＞
図６は、第２実施形態の構成を示す掌側外皮１０の一部と甲側外皮１１の一部のみを示した甲側から見た図である。第１実施形態と異なる点は、折り返し部１０ａの突出方向Ｄ２が手挿入口７の方向になっている。
【００３０】
この構成によれば、第１実施形態に比べて、親指部１の効きを更に良くすることができる。
【００３１】
＜第３実施形態＞
図７は、第３実施形態の構成を示す甲側から見た外観図を示す。第１実施形態と異なるのは、折り返し部１０ｃ（人差し指折り返し部）が、人差し指部２の根元に設けられている点である。その他の構成は、第１実施形態と同じである。折り返し部１０ｃは舌片状の形状を呈しており、折り返し部１０ｃの端面と、人差し指部２の甲側外皮１１の端面がハミダシ１２ｂにより結合されている。折り返しハート１０ｂの人差し指部２の側に折り返し部１０ｃが隣接して形成されている。
【００３２】
図８は、第３実施形態の構成を示す掌側外皮１０の一部と甲側外皮１１の一部のみを示した甲側から見た図である。この第３実施形態においては、掌側外皮を甲側に折り返した人差し指折り返し部１０ｃを形成することで、人差し指部２の効きが良くなる。
【００３３】
図８に示すように、折り返し部１０ｃは舌片状の形状を呈しており、その突出方向Ｄ３は、ベルト８の上に形成される窓部９（図７参照）の方向である。
【００３４】
＜第４実施形態＞
図９は、第４実施形態の構成を示す掌側外皮１０の一部と甲側外皮１１の一部のみを示した甲側から見た図である。第３実施形態と異なるのは、折り返し部１０ｄの突出方向Ｄ４であり、その方向は、人差し指部２が伸びる方向とほぼ直交している。
【００３５】
＜第５実施形態＞
図１０は、第５実施形態の構成を示す甲側から見た外観図を示す。この実施形態は、親指側と人差し指側の両方に折り返し部１０ｅ，１０ｆが形成されている。
【００３６】
図１１は、第５実施形態の構成を示す掌側外皮１０の一部と甲側外皮１１の一部のみを示した甲側から見た図である。
【００３７】
この実施形態によれば、掌側外皮１０を甲側に折り返した親指折り返し部１０ｅを形成することで、親指部１の効きが良くなる。さらに、掌側外皮１０を甲側に折り返した人差し指折り返し部１０ｆを形成することで、親指部１および人差し指部２の効きが良くなる。これにより、さらにグローブ全体の柔軟性が増して曲げやすくなる。折り返し部１０ｅの突出方向は図６のＤ２と同じであり、折り返し部１０ｆの突出方向は図８のＤ３と同じである。
【００３８】
＜第６実施形態＞
図１２は第６実施形態の構成を示す掌側外皮１０の一部と甲側外皮１１の一部のみを示した甲側から見た図である。図１１の第５実施形態と異なるのは、折り返し部１０ｅと折り返し部１０ｆの突出方向であり、その他の構成は同じである。折り返し部１０ｅの突出方向は図３のＤ１と同じであり、折り返し部１０ｆの突出方向は図９のＤ４と同じである。
【００３９】
＜第７実施形態＞
図１３は第７実施形態の構成を示す甲側から見た外観図を示す。第１実施形態と異なるのは、折り返し部１０ｃが、小指部５（小指部５と薬指部４の間）の根元に設けられている点である。その他の構成は、第１実施形態と同じである。折り返し部１０ｇは舌片状の形状を呈しており、折り返し部１０ｇの端面と、甲側外皮１１の端面がハミダシ１２ｃにより結合されている。
【００４０】
＜別実施形態＞
本実施形態において、折り返し部の形状を種々図示しているが、特定の形状に限定されるものではない。折り返し部の幅や長さは適宜設定することができる。折り返し部の先端形状についても、半円形ではなく、角型や楕円形など種々の形状を採用することができる。幅についても一定なものに限定されるものではなく、例えば、徐々に幅が狭くなるような先細り形状を採用してもよい。
【００４１】
本実施形態において、折り返し部が形成される位置として、親指部１、人差し指部２、小指部３の根元を示しているが、これに限定されるものではない。中指部３や薬指部４の根元に形成してもよい。折り返し部を形成する指部は１か所だけではなく、任意の複数箇所（２〜５箇所）に形成してもよい」。
【００４２】
折り返し部の突出方向について本実施形態で示した方向以外の方向を採用してもよい。
【００４３】
本発明に係る捕球具は、野球用・ソフトボール用グローブに限定されるものではなく、野球用・ソフトボール用ミットでもよく、あるいは、野球用・ソフトボール用以外の捕球具に対して適用してもよい。
【符号の説明】
【００４４】
１      親指部
２      人差し指部
３      中指部
４      薬指部
５      小指部
６      ウェブ
７      手挿入口
１０    掌側外皮
１０ａ，１０ｃ，１０ｄ，１０ｅ，１０ｆ      折り返し部
１０ｂ  折り返しハート
１１    甲側外皮
１２，１２ａ，１２ｂ    ハミダシ
Ｐ      ポケット面
【図１】
2020068842.tif 000003
【図２】
2020068842.tif 000004
【図３】
2020068842.tif 000005
【図４】
2020068842.tif 000006
【図５】
2020068842.tif 000007
【図６】
2020068842.tif 000008
【図７】
2020068842.tif 000009
【図８】
2020068842.tif 000010
【図９】
2020068842.tif 000011
【図１０】
2020068842.tif 000012
【図１１】
2020068842.tif 000013
【図１２】
2020068842.tif 000014
【図１３】
2020068842.tif 000015